【手続補正書】
【提出日】平成24年8月8日(2012.8.8)
【手続補正１】
【補正対象書類名】明細書
【補正対象項目名】００３４
【補正方法】変更
【補正の内容】
【００３４】
図５に移って、データ送信を確実に受信することを容易にする方法論５００が例示されている。方法５００は、とりわけ、アクノレッジメント・メッセージが送信機によって送信されたことを確認するために適用されうる。実施形態では、方法５００は、無線通信システムにおけるモバイル・デバイスおよび／または基地局で実施されうる。この方法５００はさらに、図４に関連して記載した再復号方法４００と並行してなされる通常の復号処理を示す。データ送信は、方法４００から方法５００へ転送される。このデータ送信は、最初の正しい復号後の、次のデータ送信でありうる。さらに、このデータ送信は、再復号またはその他のイベント後の送信でありうる。参照番号５０２において、データ・ストリーム内の次のデータ・パケットに相当するデータ送信が割り当てられる。次のデータ・パケットは、図４の４０２において正しく復号されたものに続くデータ・パケットである。５０４では、もしデータ送信があれば、このデータ送信が、前に受信された送信と結合される。また、次のデータ・パケットに相当するように割り当てられる。言い換えれば、通常の復号サイクルは、１または複数回数ループし、各ループにおいてデータ送信が受信される。データ送信は、復号を容易にする冗長性を提供するために結合される。５０４ではまた、データ送信または結合が復号される。参照番号５０６では、復号が成功したかに関する判定がなされる。復号が成功しない場合、方法５００は、参照番号５０８へ進み、次のデータ送信が受信される。次の送信は、５０４において結合および復号され、成功したかを判定するための別のテストが実行される。５０６において復号が成功したと判定されると、方法５００は、参照番号５１０に進み、最後に受信されたデータ送信と並行して正しい再復号がなされたかに関する判定がなされる。正しい復号がなされた場合、方法５００は戻る。なぜなら、このデータ送信は、アクノレッジメントが検出されていない、前に受信され復号されたデータ・パケットの送信であるからである。並行した再復号が成功しない場合、最後の送信が次のデータ・パケットに相当し、確認が行われた。参照番号５１２では、次のデータ・パケットの受信を示すアクノレッジメント信号が、送信機に送られる。
【手続補正２】
【補正対象書類名】特許請求の範囲
【補正対象項目名】全文
【補正方法】変更
【補正の内容】
【特許請求の範囲】
【請求項１】
通信のための装置であって、
データ・パケットのシーケンスからデータ・パケットに対応するデータ送信を受信することと、
前記データ送信が正しく復号された場合に、アクノレッジメント・メッセージを送信機に送ることと、
前記データ・パケットのシーケンスからデータ・パケットに対応する次のデータ送信を受信することと、
前記次のデータ送信を、１または複数の前に受信されたデータ送信と結合することと、
その結合結果を再復号して、前記次のデータ送信が最後に復号されたデータ・パケットに対応するかを判定することと、
前記結合結果が正しく再復号された場合に、反復アクノレッジメント・メッセージを前記送信機に送ることと、
前記結合結果が正しく復号されなかった場合に、前記データ・パケットのシーケンスから後続するデータ・パケットへ、前記次のデータ送信を割り当てることと
に関連する命令群を保持するメモリと、
前記メモリに保持された前記命令群を実行するように構成され、前記メモリに結合されたプロセッサと
を備える装置。
【請求項２】
前記メモリはさらに、
前記１または複数の前に受信されたデータ送信を符号結合することと、
前記符号結合された１または複数の前に受信されたデータ送信を復号することと、
前記１または複数の前に受信されたデータ送信のアクノレッジメント・メッセージを前記送信機へ送ることと
に関する命令群を保持する請求項１に記載の装置。
【請求項３】
前記メモリはさらに、前記１または複数の前に受信されたデータ送信から、最後の連続したデータ送信を破棄することに関する命令群を保持する請求項２に記載の装置。
【請求項４】
前記メモリはさらに、前記１または複数の前に受信されたデータ送信を保持する請求項２に記載の装置。
【請求項５】
前記データ送信を受信することに関する命令群は、前記データ送信を少なくとも１つのバッファ内に格納することを備える請求項１に記載の装置。
【請求項６】
前記メモリはさらに、連続したデータ送信を、並行したバッファに交互に格納することに関する命令群を保持する請求項５に記載の装置。
【請求項７】
前記メモリはさらに、データ送信を、第２のバッファの内容とともに第１のバッファへ格納することに関する命令群を保持する請求項６に記載の装置。
【請求項８】
前記メモリはさらに、前記データ送信を同時に復号することに関する命令群を保持する請求項１に記載の装置。
【請求項９】
データ・パケットのシーケンスからデータ・パケットに対応するデータ送信を受信することと、
前記データ送信が正しく復号された場合に、アクノレッジメント・メッセージを送信機に送ることと、
前記データ・パケットのシーケンスからデータ・パケットに対応する次のデータ送信を受信することと、
前記次のデータ送信を、１または複数の前に受信されたデータ送信と結合することと、
その結合結果を再復号して、前記次のデータ送信が最後に復号されたデータ・パケットに対応するかを判定することと、
前記結合結果が正しく再復号された場合に、反復アクノレッジメント・メッセージを前記送信機に送ることと、
前記結合結果が正しく復号されなかった場合に、前記データ・パケットのシーケンスから後続するデータ・パケットへ、前記次のデータ送信を割り当てることと
を備える通信のための方法。
【請求項１０】
前記１または複数の前に受信されたデータ送信を符号結合することと、
前記符号結合された１または複数の前に受信されたデータ送信を復号することと、
前記１または複数の前に受信されたデータ送信のアクノレッジメント・メッセージを前記送信機へ送ることと
をさらに備える請求項９に記載の方法。
【請求項１１】
前記１または複数の前に受信されたデータ送信から、最後の連続したデータ送信を破棄することをさらに備える請求項１０に記載の方法。
【請求項１２】
前記１または複数の前に受信されたデータ送信を保持することをさらに備える請求項１０に記載の方法。
【請求項１３】
前記データ送信を受信することは、前記データ送信を少なくとも１つのバッファ内に格納することを備える請求項９に記載の方法。
【請求項１４】
連続したデータ送信を、並行したバッファに交互に格納することをさらに備える請求項１３に記載の方法。
【請求項１５】
データ送信を、第２のバッファの内容とともに第１のバッファへ格納することをさらに備える請求項１４に記載の方法。
【請求項１６】
前記データ送信を同時に復号することを備える請求項９に記載の方法。
【請求項１７】
格納された機械実行可能命令群を有する非一時的な機械可読媒体であって、前記命令群は、
データ・パケットのシーケンスからデータ・パケットに対応するデータ送信を受信することと、
前記データ送信が正しく復号された場合に、アクノレッジメント・メッセージを送信機に送ることと、
前記データ・パケットのシーケンスからデータ・パケットに対応する次のデータ送信を受信することと、
前記次のデータ送信を、１または複数の前に受信されたデータ送信と結合することと、
その結合結果を再復号して、前記次のデータ送信が最後に復号されたデータ・パケットに対応するかを判定することと、
前記結合結果が正しく再復号された場合に、反復アクノレッジメント・メッセージを前記送信機に送ることと、
前記結合結果が正しく復号されなかった場合に、前記データ・パケットのシーケンスから後続するデータ・パケットへ、前記次のデータ送信を割り当てることと
を実行するための命令群である非一時的な可読媒体。
【請求項１８】
前記１または複数の前に受信されたデータ送信を符号結合することと、
前記符号結合された１または複数の前に受信されたデータ送信を復号することと、
前記１または複数の前に受信されたデータ送信のアクノレッジメント・メッセージを前記送信機へ送ることと
を実行するための命令群をさらに備える請求項１７に記載の非一時的な可読媒体。
【請求項１９】
前記１または複数の前に受信されたデータ送信から、最後の連続したデータ送信を破棄することを実行するための命令群をさらに備える請求項１８に記載の非一時的な可読媒体。
【請求項２０】
前記１または複数の前に受信されたデータ送信を保持することを実行するための命令群をさらに備える請求項１８に記載の非一時的な可読媒体。
【請求項２１】
前記データ送信を受信することを実行するための機械実行可能命令群は、前記データ送信を少なくとも１つのバッファ内に格納することを備える請求項１７に記載の非一時的な可読媒体。
【請求項２２】
データ・パケットのシーケンスからデータ・パケットに対応するデータ送信を受信する手段と、
前記データ送信が正しく復号された場合に、アクノレッジメント・メッセージを送信機に送る手段と、
前記データ・パケットのシーケンスからデータ・パケットに対応する次のデータ送信を受信する手段と、
前記次のデータ送信を、１または複数の前に受信されたデータ送信と結合する手段と、
その結合結果を再復号して、前記次のデータ送信が最後に復号されたデータ・パケットに対応するかを判定する手段と、
前記結合結果が正しく再復号された場合に、反復アクノレッジメント・メッセージを前記送信機に送る手段と、
前記結合結果が正しく復号されなかった場合に、前記データ・パケットのシーケンスから後続するデータ・パケットへ、前記次のデータ送信を割り当てる手段と
を備える通信に適応された装置。
【請求項２３】
前記１または複数の前に受信されたデータ送信を符号結合する手段と、
前記符号結合された１または複数の前に受信されたデータ送信を復号する手段と、
前記１または複数の前に受信されたデータ送信のアクノレッジメント・メッセージを前記送信機へ送る手段と
をさらに備える請求項２２に記載の装置。
【請求項２４】
前記１または複数の前に受信されたデータ送信から、最後の連続したデータ送信を破棄する手段をさらに備える請求項２３に記載の装置。
【請求項２５】
前記１または複数の前に受信されたデータ送信を保持する手段をさらに備える請求項２３に記載の装置。
【請求項２６】
前記データ送信を受信する手段は、前記データ送信を少なくとも１つのバッファ内に格納する手段を備える請求項２２に記載の装置。
【請求項２７】
データ・パケットのシーケンスからデータ・パケットに対応するデータ送信を受信し、
前記データ送信が正しく復号された場合に、アクノレッジメント・メッセージを送信機に送り、
前記データ・パケットのシーケンスからデータ・パケットに対応する次のデータ送信を受信し、
前記次のデータ送信を、１または複数の前に受信されたデータ送信と結合し、
その結合結果を再復号して、前記次のデータ送信が最後に復号されたデータ・パケットに対応するかを判定し、
前記結合結果が正しく再復号された場合に、反復アクノレッジメント・メッセージを前記送信機に送り、
前記結合結果が正しく復号されなかった場合に、前記データ・パケットのシーケンスから後続するデータ・パケットへ、前記次のデータ送信を割り当てる
ように構成された集積回路を備える、通信に適応された装置。
【請求項２８】
前記集積回路はさらに、
前記１または複数の前に受信されたデータ送信を符号結合し、
前記符号結合された１または複数の前に受信されたデータ送信を復号し、
前記１または複数の前に受信されたデータ送信のアクノレッジメント・メッセージを前記送信機へ送る
ように構成された請求項２７に記載の装置。
【請求項２９】
前記集積回路はさらに、前記１または複数の前に受信されたデータ送信から、最後の連続したデータ送信を破棄するように構成された請求項２８に記載の装置。
【請求項３０】
前記集積回路はさらに、前記１または複数の前に受信されたデータ送信を保持するように構成された請求項２８に記載の装置。
【請求項３１】
前記データ送信を受信することは、前記データ送信を少なくとも１つのバッファ内に格納することを備える請求項２７に記載の装置。